(57)【要約】      （修正有）【課題】複数の放熱チューブを配設したマット部を備えた温水マット、及び、その温水マットに対して外部との間で温水の授受を行うために当該温水マットに設けられる接続構造部において、ヘッダの接続不良やマット部の踏み心地を改善しながら、熱源機との間の接続を解除したときに床上に敷いたままにしておいても邪魔にならないようにする。【解決手段】マット部の縁部に固定され、一対のソケット３２を並列状態で支持する接続カバー３１を備えると共に、一対のソケット３２の夫々に接続された一対のヘッダ３５を、接続カバー３１内に収容してなる。【選択図】図３
2014025683.tif 000002
【特許請求の範囲】
【請求項１】
複数の放熱チューブを配設したマット部を備えた温水マットに設けられ、
温水を授受する一対のプラグを並設して備えた温水プラグ体が接続された状態で、前記一対のプラグが接続される一対のソケットを並設して備え、
前記一対のプラグの一方から当該プラグが接続された前記一対のソケットの一方に受け入れた温水を前記複数の放熱チューブに送り込み、
前記複数の放熱チューブから回収された温水を前記一対のソケットの他方から当該ソケットに接続された前記一対のプラグの他方に送り込む温水マットの接続構造部であって、
前記マット部の縁部に固定され、前記一対のソケットを並列状態で支持する接続カバーを備えると共に、前記一対のソケットの夫々に接続された一対のヘッダを、前記接続カバー内に収容してなり、
前記一対のプラグと前記一対のソケットが接続される状態で、前記接続カバーが前記温水プラグ体と接続される温水マットの接続構造部。
【請求項２】
前記ソケットと前記ヘッダとが可撓性の接続チューブで接続され、
前記放熱チューブより外径が大きい前記一対のソケットが、前記放熱チューブに対して底面を略揃えた状態で偏心配置されている請求項１に記載の温水マットの接続構造部。
【請求項３】
前記一対のヘッダの夫々が長手方向を同一線上に沿わせて隣接配置され、
前記一対のヘッダの夫々の隣接側の端部に、前記一対のソケットが夫々接続されている請求項１又は２に記載の温水マットの接続構造部。
【請求項４】
前記プラグを前記ソケットに接続した状態で、前記温水プラグ体を前記接続カバーに着脱自在に固定するロック手段を備えた請求項１〜３の何れか１項に記載の温水マットの接続構造部。
【請求項５】
前記一対のソケットに着脱自在な保護キャップを備え、
前記接続カバーに、前記一対のソケットから取外した前記保護キャップを収容支持するキャップ収容部を備えた請求項１〜４の何れか１項に記載の温水マットの接続構造部。
【請求項６】
複数の放熱チューブを配設したマット部を備えた温水マットであって、
請求項１〜５の何れか１項に記載の接続構造部を備えてなる温水マット。
【発明の詳細な説明】
【技術分野】
【０００１】
本発明は、複数の放熱チューブを配設したマット部を備えた温水マット、及び、その温水マットに対して外部との間で温水の授受を行うために当該温水マットに設けられる温水マットの接続構造部に関する。
【背景技術】
【０００２】
かかる温水マットとして、複数の放熱チューブを配設したマット部と、当該複数の放熱チューブの両端部が接続された一対のヘッダとを備えたものが知られている（例えば特許文献１を参照）。
かかる温水マットでは、熱源機から温水を送り込む往きチューブが一方側のヘッダに直接接続され、熱源機に温水を回収する戻りチューブが他方側のヘッダに直接接続されている。また、夫々のヘッダにおける往き及び戻りチューブの接続には、ヘッダから突出形成されたタケノコ形の継手にチューブを差し込んで外嵌させる形態の接続方法が採用されていた。この接続は、継手に差し込んだチューブをバンド等で締め付けて抜け防止を行っていることから、暖房を行わない時期において接続を簡単に解除するようなものではなかった。
【０００３】
このような温水マットは、内部に放熱チューブを配設し比較的厚みが大きいマット部を有することから、冬季以外の暖房が不要となる時期にコンパクトに折りたたんで収納することが比較的困難である。よって、通常、暖房が不要となる時期には、床上に温水マットを敷いたままにしておき、例えばその上に夏用のラグなどを敷くなどの対応がとられていた。しかし、暖房を行わないにも拘らず温水マットを敷いたままにしておく場合に、当該熱源機側の温水配管を温水マットに接続したままにしておくと、その配管が邪魔になり問題があった。
【０００４】
そこで、温水を循環させて暖房を行う暖房用放熱器に対して、熱源機側の温水配管を簡単に着脱自在に接続するための温水回路接続用継手が知られている（例えば特許文献２を参照）。かかる温水回路接続用継手は、熱源機との間で温水の授受を行う一対のプラグを並設して備えた熱源機側の温水プラグ体と、暖房用放熱器との間で温水の授受を行う一対のソケットを並設して備えた暖房用放熱器側のソケット体とからなる。そして、温水プラグ体とソケット体とを接続して一対のプラグと一対のソケットとを接続することによって、一対のプラグの一方から当該プラグが接続された一対のソケットの一方に受け入れた温水を暖房用放熱器に送り込み、当該暖房用放熱器から回収された温水を前記一対のソケットの他方から当該ソケットに接続された一対のプラグの他方に送り込む形態で、熱源機と暖房用放熱器との間で温水を循環させることができるようになる。
【０００５】
そして、温水マットに対する熱源機側の温水配管の接続にこのような温水回路接続用継手を利用すれば、暖房を行わないときにはこの継手の接続を解除しておき、熱源機側の温水配管を取り除くことで、当該温水配管が邪魔にならないようにすることができる。
【先行技術文献】
【特許文献】
【０００６】
【特許文献１】実公平８−９５４３号公報
【特許文献２】特開２００１−１０６９７２号公報
【発明の概要】
【発明が解決しようとする課題】
【０００７】
上記のように、温水マットと熱源機とを接続するチューブの途中に設けた温水回路接続用継手の接続を解除して、熱源機側の温水配管を取り除いた場合において、床上に敷いたままの温水マットから延出する往き及び戻りチューブ及びその先端に取付けられたソケット体が残ったままとなるため、それらが邪魔になるという問題があった。
また、従来の温水マットにおいて、複数の放熱チューブの両端部が接続された一対のヘッダは、放熱チューブと共に使用者が常時踏みつける可能性があるマット部に設けられていたために、使用者がヘッダを踏みつけることで、違和感を与え、また、ヘッダの接続不良の原因となっていた。
【０００８】
本発明は、かかる点に着目してなされたものであり、その目的は、温水マットにおいて、ヘッダの接続不良やマット部の踏み心地を改善しながら、熱源機との間の接続を解除したときに床上に敷いたままにしておいても邪魔にならないようにする技術を提供する点にある。
【課題を解決するための手段】
【０００９】
この目的を達成するための本発明に係る温水マットの接続構造部は、
複数の放熱チューブを配設したマット部を備えた温水マットに設けられ、
温水を授受する一対のプラグを並設して備えた温水プラグ体が接続された状態で、前記一対のプラグが接続される一対のソケットを並設して備え、
前記一対のプラグの一方から当該プラグが接続された前記一対のソケットの一方に受け入れた温水を前記複数の放熱チューブに送り込み、
前記複数の放熱チューブから回収された温水を前記一対のソケットの他方から当該ソケットに接続された前記一対のプラグの他方に送り込む温水マットの接続構造部であって、
その第１特徴構成は、
前記マット部の縁部に固定され、前記一対のソケットを並列状態で支持する接続カバーを備えると共に、前記一対のソケットの夫々に接続された一対のヘッダを、前記接続カバー内に収容してなり、
前記一対のプラグと前記一対のソケットが接続される状態で、前記接続カバーが前記温水プラグ体と接続される点にある。
【００１０】
上記第１特徴構成によれば、本発明に係る温水マットの接続構造部は、一対のソケットと一対のヘッダとを収納してなる接続カバーを有して構成される。そして、熱源機側に接続された温水プラグ体がマット部の縁部に固定された当該接続カバーに直接接続され、当該接続カバー内に温水プラグ体が有する一対のプラグが接続される一対のソケットが並設配置されているので、熱源機側の温水プラグ体の接続を解除して当該プラグ側の温水配管を取り除けば、マット部の縁部に固定された接続カバーから延出して邪魔になるようなものが無くなることになる。よって、熱源機との間の接続を解除したときに床上に敷いたままにしておいても邪魔にならない温水マットを実現することができる。
更に、このような接続カバーをマット部の縁部に固定するにあたり、上記一対のソケットをマット部の配設された複数の放熱チューブに接続するための一対のヘッダを、当該接続カバー内に収容することで、マット部にはヘッダを設ける必要が無くなるので、使用者がヘッダを踏みつけることが回避され、ヘッダの接続不良やマット部の踏み心地を改善することができる。
【００１１】
本発明に係る温水マットの接続構造部の第２特徴構成は、上記第１特徴構成に加えて、
前記ソケットと前記ヘッダとが可撓性の接続チューブで接続され、
前記放熱チューブより外径が大きい前記一対のソケットが、前記放熱チューブに対して底面を略揃えた状態で偏心配置されている点にある。
【００１２】
上記第２特徴構成によれば、比較的小径の放熱チューブを利用してマット部の厚みをできるだけ薄くした場合でも、ソケットとヘッダとを可撓性の接続チューブで接続して、放熱チューブより外径が大きい一対のソケットを放熱チューブに対して底面を略揃えた状態で偏心配置すれば、温水プラグ体の接続が容易となる程度の比較的大径のソケットを利用して、本願発明に係る温水マットの接続構造部を実現することができる。
【００１３】
本発明に係る温水マットの接続構造部の第３特徴構成は、上記第１乃至第２特徴構成の何れかに加えて、
前記一対のヘッダの夫々が長手方向を同一線上に沿わせて隣接配置され、
前記一対のヘッダの夫々の隣接側の端部に、前記一対のソケットが夫々接続されている点にある。
【００１４】
上記第３特徴構成によれば、マット部に配置される放熱チューブの本数が比較的多く夫々のヘッダが比較的長尺状のものであったとしても、当該夫々のヘッダに接続される一対のソケットを互いに近接した状態で並設配置することができるので、当該ソケットを収容する接続カバー並びに当該ソケットに接続される温水プラグ体の寸法をできるだけ小さくすることができる。
【００１５】
本発明に係る温水マットの接続構造部の第４特徴構成は、上記第１乃至第３特徴構成の何れかに加えて、
前記プラグを前記ソケットに接続した状態で、前記温水プラグ体を前記接続カバーに着脱自在に固定するロック手段を備えた点にある。
【００１６】
上記第４特徴構成によれば、上記ロック手段を設け、当該ロック手段により温水プラグ体を接続カバーに固定することで、プラグが意図せずソケットから脱離することを防止して、温水漏洩等を回避することができる。
【００１７】
本発明に係る温水マットの接続構造部の第５特徴構成は、上記第１乃至第４特徴構成の何れかに加えて、
前記一対のソケットに着脱自在な保護キャップを備え、
前記接続カバーに、前記一対のソケットから取外した前記保護キャップを収容支持するキャップ収容部を備えた点にある。
【００１８】
上記第５特徴構成によれば、熱源機側の温水プラグ体を温水マット側の接続カバーに接続する場合には、温水マット側のソケットから取外された保護キャップを、接続カバーに設けられたキャップ収容部に収容支持することができる。よって、ソケットから取外した保護キャップが邪魔になることなく、当該保護キャップの紛失を防止することができる。
また、熱源機側の温水プラグ体を温水マット側の接続カバーから取外す場合には、キャップ収容部から取外した保護キャップを温水マット側のソケットに取付けることができるので、床上に敷いたままの温水マット側のソケットが露出された状態となることを防止して、当該ソケットへの異物の進入等を防止することができる。
【００１９】
また、この目的を達成するための本発明に係る温水マットは、
複数の放熱チューブを配設したマット部を備えた温水マットであって、
その特徴構成は、上述した本発明に係る温水マットの接続構造部を備える点にある。
そして、本発明に係る温水マットの特徴構成によれば、上述した本発明に係る温水マットの接続構造部と同様の作用効果を発揮することができる。
【図面の簡単な説明】
【００２０】
【図１】温水マット及びその接続構造部の全体斜視図
【図２】温水プラグ体の構成を示す分解斜視図
【図３】接続カバーの内部構成を示す分解斜視図
【図４】保護キャップの形状を示す斜視図
【図５】保護キャップの変移操作の状態を示す説明図
【図６】接続カバーの内部構成を示す側断面図
【発明を実施するための形態】
【００２１】
本発明に係る温水マット及びその接続構造部の実施形態について図面に基づいて説明する。
図１に示す温水マット１は、例えば耐熱性及び可撓性を有するナイロン製の複数の放熱チューブ２１が内部に並列状態で配置された不織布や軟質性樹脂等からなるマット部２を備え、このマット部２を床上に敷いた状態で使用される。
更に、熱源機６２との間で温水を授受する一対のプラグ５４（図２参照）を並設して備えた温水プラグ体５が接続された状態で、一対のプラグ５４が接続される一対のソケット３２を並設して備えた接続構造部３が設けられている。
そして、このような温水マット１では、この一対のプラグ５４の一方の往きプラグ５４ａから当該プラグ５４ａが接続された一対のソケット３２の一方の往きソケット３２ａに受け入れた温水をマット部２に配設した複数の放熱チューブ２１に送り込み、それと同時に、複数の放熱チューブ２１から回収された温水を一対のソケット３２の他方の戻りソケット３２ｂから当該ソケット３２ｂに接続された一対のプラグ５４の他方の戻りプラグ５４ｂに送り込む状態で床暖房が行われることになる。即ち、床暖房の際には、熱源機６２で加熱された温水を当該複数の放熱チューブ２１に通流させた後に再度熱源機６２に回収する形態で、熱源機６２と放熱チューブ２１との間で温水が循環し、マット部２において当該温水が保有する顕熱が放出される。
【００２２】
熱源機６２と温水プラグ体５との間で温水が通流する温水配管６０は、熱源機６２から加熱後の温水が送り込まれる往きチューブ６０ａと熱源機６２に放熱後の温水を送り込む戻りチューブ６０ｂとからなる。尚、この温水配管６０の詳細構造については、公知のため詳細説明を省略するが、壁に取付けられた温水コンセント６１から取外すことができる。
【００２３】
上記温水プラグ体５は、図２に示すように、熱源機６２（図１参照）に接続された温水配管６０の先端部に接続されて温水の授受を行うための一対のプラグ５４を、上プラグカバー５１ａと下プラグカバー５１ｂとからなるプラグカバー５１の内部に並設して備える。即ち、往きチューブ６０ａの先端部に接続された往きプラグ５４ａと、戻りチューブ６０ｂの先端部に接続された戻りプラグ５４ｂとが、上プラグカバー５１ａと下プラグカバー５１ｂとの間に挟持された状態で、並列配置されている。
夫々のプラグ５４は、温水マット１の接続構造部３に設けられたソケット３２（図１参照）に対して着脱自在な差込式の継手構造を有し、その先端部には、ソケット３２の先端に設けられた筒状の接続口３２ｃに内挿されてソケット３２との間で温水流路を形成することができる筒状の接続部５４ｃが設けられている。
プラグカバー５１は、上下一対の上プラグカバー５１ａと下プラグカバー５１ｂとからなり、夫々のプラグカバー５１の先端部には、後述する接続カバー３１の側面に形成された楕円筒状のプラグ体接続口３８に内挿される楕円筒状のカバー接続部５２を構成する上カバー接続部５２ａと下カバー接続部５２ｂとが設けられている。
このように構成された温水プラグ体５は、このカバー接続部５２を温水マット１の接続構造部３に設けられたプラグ体接続口３８に内挿させることで、一対のプラグ５４の接続部５４ｃを温水マット１の接続構造部３に設けられた一対のソケット３２の接続口３２ｃに内挿させる形態で、同接続構造部３に接続されることになる。
【００２４】
更に、プラグカバー５１の上下には、温水プラグ体５を温水マット１の接続構造部３に接続した状態で、プラグ体接続口３８の上下に形成された係止口３９（３９ａ、３９ｂ）に係止されて、接続構造部３からの温水プラグ体５の離脱を阻止する係止爪５３（５３ａ、５３ｂ）が夫々設けられている。
即ち、これら係止口３９及び係止爪５３は、温水プラグ体５のプラグ５４をソケット３２に接続した状態で、温水プラグ体５を接続カバー３１に着脱自在に固定するロック手段として機能することになる。
【００２５】
以下、本実施形態に係る温水マット１の接続構造部３の詳細構成について説明を加える。
温水マット１の接続構造部３は、図３に示すように、マット部２の縁部に固定され、一対のソケット３２を並列状態で支持する接続カバー３１を備える。
即ち、この接続カバー３１は、上下一対の上接続カバー３１ａと下接続カバー３１ｂとからなり、これら上接続カバー３１ａと下接続カバー３１ｂとが、マット部２の縁部を挟み込む状態でネジＳによって締結され、マット部２の縁部に固定されることになる。
【００２６】
更に、往きプラグ５４ａが接続される往きソケット３２ａと戻りプラグ５４ｂが接続される戻りソケット３２ｂとが、上接続カバー３１ａと下接続カバー３１ｂとの間に挟持された状態で、下接続カバー３１ｂの略中央部に設けられた保持部３３に並列配置されている。
そして、これら一対のソケット３２の接続口３２ｃが、接続カバー３１の側方に設けられ楕円状に開口するプラグ体接続口３８の内部において、当該プラグ体接続口３８と同じ向きに開口する状態で配置されている。
従って、熱源機６２側の温水プラグ体５を、プラグ体接続口３８から取外して、当該温水プラグ体５側の温水配管６０を取り除けば、マット部２の縁部に固定された接続カバー３１から延出して邪魔になるようなものが無くなることになる。
【００２７】
この接続カバー３１内には、一対のソケット３２の夫々に接続された一対のヘッダ３５が、上接続カバー３１ａと下接続カバー３１ｂとの間に挟持された状態で収容されている。即ち、往きソケット３２ａに接続チューブ３４ａを介して接続される往きヘッダ３５ａが、接続カバー３１内において往きソケット３２ａの後方（マット部２側）に配置され、一方、戻りソケット３２ｂに接続チューブ３４ｂを介して接続される戻りヘッダ３５ｂが、接続カバー３１内において戻りソケット３２ｂの後方（マット部２側）に配置されている。そして、往きヘッダ３５ａと戻りヘッダ３５ｂとの夫々に、マット部２に配置された複数の放熱チューブ２１の両端部が接続される。
従って、接続カバー３１をマット部２の縁部に固定するにあたり、往きヘッダ３５ａと戻りヘッダ３５ｂとからなる一対のヘッダ３５が、当該接続カバー３１内に収容されているので、マット部２にはヘッダ３５が設けられることなく放熱チューブ２１が配設されるだけになる。よって、使用者がヘッダ３５を踏みつけることが回避され、ヘッダ３５の接続不良やマット部２の踏み心地が改善される。
【００２８】
上記ソケット３２とヘッダ３５との接続は、図６も参照して、例えば耐熱性及び可撓性を有する架橋ポリエチレン製の接続チューブ３４で接続されており、放熱チューブ２１より外径が大きい一対のソケット３２が、放熱チューブ２１に対して底面を、下接続カバー３１ｂの上面に当接させて略揃えた状態で偏心配置されている。
即ち、マット部２の厚みをできるだけ薄くするために比較的小径の放熱チューブ２１を利用するにあたり、その放熱チューブ２１に対して底面を略揃えた状態で偏心配置した当該放熱チューブ２１よりも大形のソケット３２を利用することで、当該ソケット３２に対する温水プラグ体５側のプラグ５４の接続時の位置合わせ等が容易となる。
【００２９】
一対のヘッダ３５の夫々は、図３に示すように、接続カバー３１内において、その長手方向を同一線上に沿わせて隣接配置されており、更に、これら一対のヘッダ３５の夫々の隣接側の端部に、一対のソケット３２が夫々接続されている。
即ち、夫々のヘッダ３５は、複数の放熱チューブ２１に対する継手部３５ｄを長手方向に並列配置した長尺状に形成されているが、当該夫々のヘッダ３５に接続される一対のソケット３２を互いに近接した状態で並設配置しているので、当該ソケット３２を収容する接続カバー３１並びに当該ソケット３２に接続される温水プラグ体５の寸法ができるだけ小さいものとなる。
【００３０】
この温水マット１の接続構造部３には、温水プラグ体５を接続カバー３１のプラグ体接続口３８から取外した場合に、床上に敷いたままの温水マット１側のソケット３２が露出された状態となることを防止して当該ソケット３２への異物の進入等を防止するために、一対のソケット３２に着脱自在な保護キャップ４０が設けられている。
この保護キャップ４０は、図４も参照して、一対のソケット３２に着脱される円柱状の一対の着脱部４１（４１ａ，４１ｂ）を、楕円形の平板部４２から突出形成して備えており、この着脱部４１がプラグ５４の接続部５４ｃ（図２参照）と同形に形成されていることで、ソケット３２に対してプラグ５４と同様に着脱自在となる。
【００３１】
一方、接続カバー３１には、一対のソケット３２から取外した保護キャップ４０を収容支持するキャップ収容部３６が設けられている。
このキャップ収容部３６は、保護キャップ４０に形成された一対の着脱部４１が着脱される円筒状の一対の保持部３６ａ，３６ｂを接続カバー３１のプラグ体接続口３８が形成された側面において引退させた状態で形成して備えており、この保持部３６ａ，３６ｂがソケット３２の接続口３２ｃと同形に形成されていることで、保護キャップ４０に形成された着脱部４１に対してソケット３２と同様に着脱自在となる。
【００３２】
上記保護キャップ４０には、一対のソケット３２に対する一対の着脱部４１の側方に配置された軸部４３が、着脱部４１と同様の方向に向けて平板部４２から突出形成して備えている。一方、接続カバー３１には、一対のソケット３２の側方に配置されて保護キャップ４０の軸部４３を軸受けする軸受け部３７が形成されている。
更に、このキャップ収容部３６は、一対のソケット３２に対して軸受け部３７を中心に対称に配置されていることから、保護キャップ４０を接続カバーに設けられた軸受け部３７に軸受けされている軸部４３を中心に回転させるという簡単な操作で、保護キャップ４０をソケット３２に取付けた状態とキャップ収容部３６の保持部３６ａ，３６ｂに取付けた状態との間で変移可能にガイドされることになる。
【００３３】
更に、保護キャップ４０側の軸部４３に対して接続カバー３１側の軸受け部３７が軸心方向において短く形成されていることで、軸部４３が軸受け部３７に対して軸心方向に変移可能に軸受けされている。尚、この変移範囲は、平板部４２と軸部４３の先端に設けられたボール状の抜け止め部４４との間で、軸受け部３７が軸部４３上をスライド可能な範囲に制限されている。
そして、このように保護キャップ４０側の軸部４３を接続カバー３１側の軸受け部３７に対して軸心方向に変移可能に構成することで、保護キャップ４０の軸心方向に沿ったスライドが可能となり、ソケット３２及びキャップ収容部３６に対する保護キャップ４０の当該軸心方向に沿った着脱が容易となる。
尚、保護キャップ４０の平板部４２の軸部４３や着脱部４１が形成された面とは反対側の面には、保護キャップ４０を把持するためのツマミ４５が設けられている。
【００３４】
詳しくは、図５（ａ）に示すように、保護キャップ４０を一対のソケット３２に装着している状態から、保護キャップ４０のツマミ４５を把持して手前に引っ張れば、図５（ｂ）に示すように、当該保護キャップ４０がソケット３２から取外された状態となる。
次に、その状態の保護キャップ４０を、軸部４３を中心に回転させれば、図５（ｃ）に示すように、保護キャップ４０をソケット３２の側方に配置されたキャップ収容部３６の手前側に変移させた状態となる。
次に、その保護キャップ４０をキャップ収容部３６に向けて奥に押込めば、図５（ｄ）に示すように、保護キャップ４０の一対の着脱部４１を一対の保持部３６ａ，３６ｂに挿入させる形態で、当該保護キャップ４０をキャップ収容部３６に収容することができる。
【００３５】
上記のように構成された温水マット１の接続構造部３には、温水マット１に対する熱源機６２の運転操作を行う操作部４６が接続カバー３１の上面に配置されており、更に、温水プラグ体５に設けられた信号端子４８に接続され、操作部４６から出力される操作信号を当該信号端子４８に出力する信号出力部４７が、プラグ体接続口３８に設けられている。
即ち、操作部４６には、図示は省略するが、熱源機６２から温水マット１への温水供給の開始操作及び停止操作を行うための運転ボタンや当該供給される温水の温度を設定する温度設定ボタン等が配置されており、これら操作部４６の操作信号が上記信号出力部４７及び信号端子４８を介して熱源機６２側に入力されることで、温水マット１に対する熱源機６２の運転が操作されることになる。
尚、上記信号出力部４７及び信号端子４８は、必要に応じて複数設けても構わない。また、上記信号出力部４７及び信号端子４８を、複数の信号線を集合させたものとして構成しても構わない。
【００３６】
〔その他の実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
【００３７】
（１）上記実施形態では、接続カバー３１内において、ソケット３２とヘッダ３５とが可撓性の接続チューブ３４で接続することによって、放熱チューブ２１より外径が大きい一対のソケット３２を放熱チューブ２１に対して底面を略揃えた状態で偏心配置するように構成したが、例えば、ヘッダ３５において、ソケット３２に対する継手部と放熱チューブ２１に対する継手部とを上下方向で偏心配置することで、放熱チューブ２１とソケット３２とを上下方向で偏心配置するように構成しても構わない。
【００３８】
（２）上記実施形態では、接続カバー３１内において、一対のヘッダ３５の夫々を、長手方向を同一線上に沿わせて隣接配置したが、別に、長手方向を並行にして隣接配置して、夫々の当該長手方向の端部側にソケット３２に対する継手部を設けても構わない。
【００３９】
（３）上記実施形態において、保護キャップ４０をキャップ収容部３６に向けて押込んだ際に、軸部４３の基端側の一部が軸受け部３７に対して締まり状態で嵌合して、キャップ収容部３６に支持された保護キャップ４０の離脱を阻止するように構成さいても構わない。
【産業上の利用可能性】
【００４０】
本発明は、複数の放熱チューブを配設したマット部を備えた温水マットに設けられ、温水を授受する一対のプラグを並設して備えた温水プラグ体が接続された状態で、前記一対のプラグが接続される一対のソケットを並設して備え、前記一対のプラグの一方から当該プラグが接続された前記一対のソケットの一方に受け入れた温水を前記複数の放熱チューブに送り込み、前記複数の放熱チューブから回収された温水を前記一対のソケットの他方から当該ソケットに接続された前記一対のプラグの他方に送り込む温水マットの接続構造部及びそれを備えた温水マットとして好適に利用可能である。
【符号の説明】
【００４１】
１        ：温水マット
２        ：マット部
３        ：接続構造部
５        ：温水プラグ体
２１      ：放熱チューブ
３１      ：接続カバー
３１ａ    ：上接続カバー
３１ｂ    ：下接続カバー
３２      ：ソケット
３４      ：接続チューブ
３５      ：ヘッダ
３６      ：キャップ収容部
３６ａ    ：保持部
３７      ：軸受け部
３８      ：プラグ体接続口
３９      ：係止口（ロック手段）
４０      ：保護キャップ
４１      ：着脱部
４３      ：軸部
５２      ：カバー接続部
５３      ：係止爪（ロック手段）
５４      ：プラグ
５４ｃ    ：接続部
６０      ：温水配管
６２      ：熱源機
【図１】
2014025683.tif 000003
【図２】
2014025683.tif 000004
【図３】
2014025683.tif 000005
【図４】
2014025683.tif 000006
【図５】
2014025683.tif 000007
【図６】
2014025683.tif 000008